(57)【特許請求の範囲】
【請求項１】
電源の第１の正出力端子と接地端子間に第１の分圧用抵抗を接続し、第２の正出力端子と接地端子間に第１のダイオードとＮＰＮトランジスタを接続し、第１のダイオードのアノードと上記ＮＰＮトランジスタのコレクタとの接続点と、第１の分圧用抵抗の分圧点とを過電流保護回路の一端に接続し、他端を接地端子に接続し、上記ＮＰＮトランジスタのエミッタを接地端子に接続し、第１の正出力端子と第１の負出力端子との間に第２の分圧用抵抗を接続し、上記第２の分圧用抵抗の分圧点と上記ＮＰＮトランジスタのベースとの間に、第２のダイオードを順方向接続して第１段回路を構成したことを特徴とする過電流保護回路。
【請求項２】
上記過電流保護回路の第１の正出力端子と第２の負出力端子との間に第３の分圧用抵抗を接続し、上記第３の分圧用抵抗の分圧点と上記ＮＰＮトランジスタのベースとの間に第３のダイオードを順方向接続して第２段回路を構成したことを特徴とする請求項１記載の過電流保護回路。
【請求項３】
上記過電流保護回路の第１の正出力端子と第ｎの負出力端子との間に第ｎ＋１の分圧用抵抗を順次接続し、上記第ｎ＋１の分圧用抵抗の分圧点と上記ＮＰＮトランジスタのベースとの間に第ｎ＋１のダイオードを順次、順方向接続して第ｎ段回路を構成し、ｎはｎ＝３、４、・・・と増大する整数であることを特徴とする請求項１記載の過電流保護回路。
【請求項４】
上記過電流保護回路の第１の分圧用抵抗の分圧点と第ｍの正出力端子との間に第ｍのダイオードを順次、順方向接続して第ｍ段回路を構成し、ｍはｍ＝２、３、・・・と増大する整数であることを特徴とする請求項１記載の過電流保護回路。
【発明の詳細な説明】
【０００１】
【発明の属する技術分野】
本発明は、過電流保護回路に関するものであり、過電流による出力電圧の低下を検出して、電源を停止させる過電流保護回路において、多出力でも各出力に過電流保護回路を接続することなく、１つの過電流保護回路で、動作させることを特徴とする過電流保護回路に関するものである。
【０００２】
【従来の技術】
従来の過電流による出力電圧の低下を検出して電源を停止させる過電流保護回路は、図２の回路図のようなものであり、正出力電圧Ｖ（＋）１が降下した時は、第１の正出力端子Ｖ（＋）１と接地端子ＧＮＤ間で、第１の分圧用抵抗Ｒ１，Ｒ２で分圧した電圧として検出し、過電流保護回路▲１▼を動作させ、正出力電圧Ｖ（＋）２が降下した時は、第２の正出力端子Ｖ（＋）２と接地端子ＧＮＤ間で、分圧用抵抗Ｒ（Ａ），Ｒ（Ｂ）で分圧した電圧として検出し、過電流保護回路▲２▼を動作させ、過電流保護を行わせる。
一方、負出力電圧Ｖ（−）１が上昇した時は、第１の負出力端子Ｖ（−）１と第１の正出力端子Ｖ（＋）１間で、第２の分圧用抵抗Ｒ３，Ｒ４で分圧した電圧として検出し、過電流保護回路▲３▼を動作させ、負出力電圧Ｖ（−）２が降下した時は、第２の負出力端子Ｖ（−）２と第１の正出力端子Ｖ（＋）１間で、第３の分圧用抵抗Ｒ５，Ｒ６で分圧した電圧として検出し、過電流保護回路▲４▼を動作させ、過電流保護を行わせる。
上記のような保護動作を行うため、従来の回路では、多出力に対して過電流保護回路を各出力ごとに用意する必要があった。
【０００３】
【発明が解決しようとする課題】
このように従来の過電流保護回路では、多出力に対して過電流保護回路を各出力ごとに用意する必要があり、回路が大幅に増えてしまうので、サイズ、消費電力、コスト面で問題があり、多出力に対して過電流保護回路の数を大幅に少なくし、各出力系の過電流保護ができる回路構成が要求されていた。
【０００４】
【課題を解決するための手段】
本発明に係る過電流保護回路は、上記課題を解決するものであり、多出力電源の出力電圧降下の検出と、過電流保護とを１つの過電流保護回路で行わせることを特徴とする過電流保護回路である。
【０００５】
すなわち、電源の第１の正出力端子Ｖ（＋）１と接地端子ＧＮＤ間に第１の分圧用抵抗Ｒ１，Ｒ２を接続し、第２の正出力端子Ｖ（＋）２と接地端子ＧＮＤとの間に第１のダイオードＤ１とＮＰＮトランジスタＱ１を接続し、第１のダイオードＤ１のアノードと上記ＮＰＮトランジスタＱ１のコレクタとの接続点と、第１の分圧用抵抗Ｒ１，Ｒ２の分圧点とを過電流保護回路の一端に接続し、他端を接地端子ＧＮＤに接続し、上記ＮＰＮトランジスタＱ１のエミッタを接地端子ＧＮＤに接続し、第１の正出力端子Ｖ（＋）１と第１の負出力端子Ｖ（−）１との間に第２の分圧用抵抗Ｒ３，Ｒ４を接続し、上記分圧用抵抗Ｒ３、Ｒ４の分圧点と上記ＮＰＮトランジスタＱ１のベースとの間に第２のダイオードＤ２を順方向接続して第１段回路を構成したことを特徴とする過電流保護回路である。
【０００６】
さらに、上記過電流保護回路の第１の正出力端子Ｖ（＋）１と第２の負出力端子Ｖ（−）２との間に第３の分圧用抵抗Ｒ５，Ｒ６を接続し、上記分圧用抵抗Ｒ５、Ｒ６の分圧点と、上記ＮＰＮトランジスタＱ１のベースとの間に第３のダイオードＤ３を順方向接続して第２段回路を構成したことを特徴とする過電流保護回路である。
【０００７】
また、上記過電流保護回路の第１の正出力端子Ｖ（＋）１と第ｎの負出力端子との間に第ｎ＋１の分圧用抵抗を順次接続し、上記分圧用抵抗の分圧点と上記ＮＰＮトランジスタＱ１のベースとの間に第ｎ＋１のダイオードを順次、順方向接続して第ｎ段回路を構成し、ｎはｎ＝３、４、・・・と増大する整数であることを特徴とする過電流保護回路である。
【０００８】
そして、上記過電流保護回路の第１の分圧用抵抗Ｒ１，Ｒ２の分圧点と第ｍの正出力端子との間に第ｍのダイオードを順次、順方向接続して第ｍ段回路を構成し、ｍはｍ＝２、３、・・・と増大する整数であることを特徴とする過電流保護回路である。
【０００９】
【発明の実施の形態】
図１に示すように、電源の第１の正出力端子Ｖ（＋）１と接地端子ＧＮＤとの間に第１の分圧用抵抗Ｒ１，Ｒ２を接続し、第２の正出力端子Ｖ（＋）２と接地端子ＧＮＤとの間に第１のダイオードＤ１とＮＰＮトランジスタＱ１を接続し、第１のダイオードＤ１のアノードと上記ＮＰＮトランジスタＱ１のコレクタとの接続点と、第１の分圧用抵抗Ｒ１，Ｒ２との分圧点とを過電流保護回路の一端に接続し、他端を接地端子ＧＮＤに接続し、上記ＮＰＮトランジスタＱ１のエミッタを接地端子ＧＮＤに接続し、第１の正出力端子Ｖ（＋）１と第１の負出力端子Ｖ（−）１との間に第２の分圧用抵抗Ｒ３，Ｒ４を接続し、上記分圧用抵抗Ｒ３、Ｒ４の分圧点と上記ＮＰＮトランジスタＱ１のベースとの間に、第２のダイオードＤ２を順方向接続して第１段回路を構成し、上記過電流保護回路の第１の正出力端子Ｖ（＋）１と第２の負出力端子Ｖ（−）２との間に第３の分圧用抵抗Ｒ５，Ｒ６を接続し、上記分圧用抵抗Ｒ５，Ｒ６の分圧点と上記ＮＰＮトランジスタＱ１のベースとの間に第３のダイオードＤ３を順方向接続して第２段回路を構成する。
【００１０】
図１のように、正出力端子Ｖ（＋）１の電圧降下を第１の正出力端子Ｖ（＋）１とＧＮＤ端子間に接続した第１の分圧用抵抗Ｒ１，Ｒ２で分圧した電圧として検出し、過電流による出力電圧低下を検出すると、過電流保護回路を動作させ、電源を停止させる。よって、第１の正出力端子Ｖ（＋）１−接地端子ＧＮＤ端子間を短絡した時、過電流保護を行うことができる。
第２の正出力端子Ｖ（＋）２の電圧降下に対しては、第２の正出力端子Ｖ（＋）２にダイオードＤ１のカソードを接続し、アノードを第１の分圧用抵抗Ｒ１，Ｒ２の分圧点に接続しているので、第２の正出力電圧が第１の正出力電圧より低下すると第１の分圧用抵抗Ｒ１，Ｒ２で分圧した電圧がダイオードＤ１を通して第２の正出力に出力されるため、分圧した電圧が降下し、１つの過電流保護回路で各出力の過電流保護を行うことができる。
【００１１】
また、第１の負出力端子Ｖ（−）１と第１の正出力端子Ｖ（＋）１間を第２の分圧用抵抗Ｒ３，Ｒ４で分圧し、その分圧点にダイオードＤ２のアノードを接続し、カソードをＮＰＮトランジスタＱ１のベースに接続し、コレクタを第１の分圧用抵抗Ｒ１，Ｒ２の分圧点に接続し、エミッタを接地端子ＧＮＤに接続しているので、第１の負出力端子Ｖ（−）１−接地端子ＧＮＤ端子間を短絡した時、第２の分圧用抵抗Ｒ３，Ｒ４で分圧した電圧が正になるため、ＮＰＮトランジスタＱ１のベースがハイとなってＮＰＮトランジスタＱ１がオンし、第１の分圧用抵抗Ｒ１，Ｒ２で分圧した電圧を降下させ、過電流保護を行うことができる。
また、第２の負出力端子Ｖ（−）２と第１の正出力端子Ｖ（＋）１との間を第３の分圧用抵抗Ｒ５，Ｒ６で分圧し、その分圧点にダイオードＤ３のアノードを接続し、カソードをＮＰＮトランジスタＱ１のベースに接続し、コレクタを第１の分圧用抵抗Ｒ１，Ｒ２の分圧点に接続し、エミッタを接地端子ＧＮＤに接続しているので、第２の負出力端子Ｖ（−）２−接地端子ＧＮＤ端子間を短絡した時、第３の分圧用抵抗Ｒ５，Ｒ６とで分圧した電圧が正になるため、ＮＰＮトランジスタＱ１のベースがハイとなってＮＰＮトランジスタＱ１がオンし、第１の分圧用抵抗Ｒ１，Ｒ２で分圧した電圧を降下させ、１つの過電流保護回路で負出力の過電流保護を行わせることができる。
【００１２】
以上のように、１つの過電流保護回路で、電圧降下の検出と過電流保護が可能であり、正出力が追加になっても、追加の正出力端子にダイオードのカソードを接続し、アノードを第１の分圧用抵抗Ｒ１と第２の分圧用抵抗Ｒ２の分圧点に接続すれば、過電流保護を行うことができ、また、マイナス出力が追加になっても、追加の負出力端子と第１の正出力端子Ｖ（＋）１間に分圧用抵抗を接続し、分圧点にダイオードのアノードを、カソードをＮＰＮトランジスタＱ１のベースに接続すれば、過電流保護を行うことができる。
【００１３】
本発明の実施例による過電流保護回路と従来例によるものとで過電流保護回路の必要数、所要面積、コスト、消費電力を比較した結果を下記の〔表１〕に記す。
これより明らかなように、実施例では従来例と比較して、上記項目が大幅に改善されていることが分かる。
【００１４】
【表１】
0003908949.tif 000002
【００１５】
【発明の効果】
本発明により、出力−ＧＮＤ間の短絡時、出力電圧が下がることを検出して、電源を停止させることができるので、多出力電源でも各出力に過電流保護回路を接続することなく、1つの過電流保護回路で動作する過電流保護回路を実現することができる。
【図面の簡単な説明】
【図１】本発明の実施例による過電流保護回路の回路図である。
【図２】従来例による過電流保護回路の回路図である。
【符号の説明】
Ｖ（＋）１  第１の正出力端子
Ｖ（＋）２  第２の正出力端子
Ｖ（−）１  第１の負出力端子
Ｖ（−）２  第２の負出力端子
ＧＮＤ  接地端子
Ｒ１，Ｒ２  第１の分圧用抵抗
Ｒ３，Ｒ４  第２の分圧用抵抗
Ｒ５，Ｒ６  第３の分圧用抵抗
Ｒ（Ａ）  分圧用抵抗
Ｒ（Ｂ）  分圧用抵抗
Ｄ１  第１のダイオード
Ｄ２  第２のダイオード
Ｄ３  第３のダイオード
Ｑ１  ＮＰＮトランジスタ
【図１】
0003908949.tif 000003
【図２】
0003908949.tif 000004